(57)【特許請求の範囲】
【請求項１】
識別コードを取得する入力装置と、
この入力装置により取得された前記識別コードに基づいて一取引における商品情報を含むトランザクションデータを生成する生成部と、
この生成部により生成された複数のトランザクションデータを前記取引毎に記憶する記憶部と、
この記憶部の前記トランザクションデータに商品が顧客より注文された客注商品であることを示す客注ステータス情報をこのトランザクションデータにリンク付けて付与する付与部と、
を備える商品登録装置。
【請求項２】
レシートを印字するプリンタを更に備え、
このプリンタは前記レシート上に前記客注ステータス情報を示すマークを商品名に対応付けて印字出力する請求項１記載の商品登録装置。
【請求項３】
表示器と、
この表示器に前記一取引の内容を示す登録画面を表示させ、この登録画面に前記客注ステータス情報の付与の処理を開始する客注宣言キーを表示させる表示制御部と、
を備える請求項１記載の商品登録装置。
【請求項４】
表示器と、
この表示器に前記一取引の内容を示す登録画面を表示させ、この登録画面上に前記客注ステータス情報を示すマークを商品名に対応付けて表示させる表示制御部と、
を備える請求項１記載の商品登録装置。
【請求項５】
前記記憶部は前記一取引において商品毎に前記客注ステータス情報を格納するための領域を有する請求項１記載の商品登録装置。
【請求項６】
コンピュータに、
識別コードを取得する機能と、
前記識別コードに基づいて一取引における商品情報を含むトランザクションデータを生成する機能と、
生成された複数のトランザクションデータを前記取引毎に記憶装置に記憶する機能と、
商品が顧客より注文された客注商品であることを示す客注ステータス情報をこの記憶装置の前記トランザクションデータにリンク付けて付与する機能と、
を実行させるプログラム。
【発明の詳細な説明】
【技術分野】
【０００１】
一実施形態は商品登録装置およびプログラムに関する。
【背景技術】
【０００２】
ＰＯＳ（Ｐｏｉｎｔ Ｏｆ Ｓａｌｅｓ）ターミナルは、客が買上げた商品の販売データを登録し、一取引として売上げる客買上げ商品の登録終了を宣言する（例えば特許文献１参照）。従来、在庫の無い商品の注文時に引換券を通常のレシートに印字して発行するＰＯＳシステムが知られている（例えば特許文献２参照）。電子的な帳簿の記入処理を行う情報処理装置が知られている（例えば特許文献３参照）。
【先行技術文献】
【特許文献】
【０００３】
【特許文献１】特開２０１１−９０３７５号公報
【特許文献２】特開平１１−１６０４９号公報
【特許文献３】特開２００２−３２６９９号公報
【発明の概要】
【発明が解決しようとする課題】
【０００４】
しかし、店舗において在庫数を上回る数の商品を客が購入し、先に代金だけを店側が客から受け取って店が不足数分の商品を客注扱いしようとする場合、不足数分の商品が客注扱いにされることはトランザクションファイルに記録されない。客注とは商品が顧客から受注された状況に有ることを言う。トランザクションファイルとはそれぞれ取引内容を表す複数のトランザクションデータを経時的に記録したファイルデータを言う。
【０００５】
例えば現物商品としてガム（チューイングガム）が店舗に５個だけ在庫が存在するとする。客がレジで１０個分のガムを先払いで購入すると、店側はＰＯＳ端末に１０個分のガムの売上げを登録する。店は残り５個分のガムを客注扱いにする。例えば店は残り５個のガムの客注伝票を手書きで発行する。代金が支払われていることがＰＯＳ端末にデータ上登録されているにもかかわらず、この取引ではこの残りの５個の現物のガムの在庫が欠品している状況となる。１０個分のガムの売上登録がデータ上存在していても、売上登録の際、在庫が無い不足数分の５個のガムが客注扱いにされていることをＰＯＳ端末はトランザクションファイルに登録することができない。
【課題を解決するための手段】
【０００６】
このような課題を解決するため、一実施形態によれば、識別コードを取得する入力装置と、この入力装置により取得された前記識別コードに基づいて一取引における商品情報を含むトランザクションデータを生成する生成部と、この生成部により生成された複数のトランザクションデータを前記取引毎に記憶する記憶部と、この記憶部の前記トランザクションデータに商品が顧客より注文された客注商品であることを示す客注ステータス情報をこのトランザクションデータにリンク付けて付与する付与部と、を備える商品登録装置が提供される。
【０００７】
また、別の一実施形態によれば、コンピュータに、識別コードを取得する機能と、前記識別コードに基づいて一取引における商品情報を含むトランザクションデータを生成する機能と、生成された複数のトランザクションデータを前記取引毎に記憶装置に記憶する機能と、商品が顧客より注文された客注商品であることを示す客注ステータス情報をこの記憶装置の前記トランザクションデータにリンク付けて付与する機能と、を実行させるプログラムが提供される。
【図面の簡単な説明】
【０００８】
【図１】実施の形態に係る商品登録装置の斜視図である。
【図２】実施の形態に係る商品登録装置の表示器の登録画面例を示す図である。
【図３】実施の形態に係る商品登録装置の表示器による客注宣言キーが押下された後の登録画面例を示す図である。
【図４】実施の形態に係る商品登録装置の制御系を主体にした要部構成のブロック図である。
【図５】実施の形態に係る商品登録装置の商品登録処理を説明するためのフローチャートである。
【図６】実施の形態に係る商品登録装置に用いられるバッファ領域の一例を示す複数の図である。
【図７】実施の形態に係る商品登録装置の締め処理を説明するためのフローチャートである。
【図８】実施の形態に係る商品登録装置の客注登録処理を説明するためのフローチャートである。
【図９】実施の形態に係る商品登録装置の記憶部に記憶されるトランザクションデータの客注ステータス情報の領域を示す図である。
【図１０】実施の形態に係る商品登録装置の表示器の登録画面、記憶部及びプリンタ出力間の対応関係を示す図である。
【図１１】実施の形態に係る商品登録装置による客注ステータス情報の例を示す複数の図である。
【発明を実施するための形態】
【０００９】
以下、実施の形態に係る商品登録装置について、図１乃至図１１を参照しながら説明する。尚、各図において同一箇所については同一の符号を付すとともに、重複した説明は省略する。
【００１０】
図１は実施の形態に係る商品登録装置の斜視図である。ＰＯＳ端末１０（商品登録装置）は、バーコード（識別コード）を読取るスキャナ１１（入力装置）と、テンキーを有するキーボード１２（入力装置）と、スキャナ１１によるスキャン及びキーボード１２への操作により入力された情報を表示するタッチパネルを持つキャッシャ用表示器１３（入力装置、表示器）とを備えている。このＰＯＳ端末１０は、商品コードに対応付けて商品情報を登録してある商品マスタファイルを記憶する商品マスタファイル記憶部１４と、この商品マスタファイル記憶部１４に記憶された商品マスタファイル、及びスキャナ１１の読取りの結果得られたデータやキャッシャ用表示器１３へのタッチ入力によって指定されたバーコードによって一取引における商品情報を含むトランザクションデータを生成する生成部１５とを備えている。
【００１１】
商品情報とは商品コード、商品名、売単価などを言う。商品マスタファイルとは一商品の基本データを記憶するファイルを言い、商品の商品コード毎に商品名、単価、部門コード等を対応付けたファイル構造を備える。トランザクションデータは顧客との一回の商取引の記録を表すファイルデータを言い、一回の取引で売買される各商品の商品コード、販売点数、販売金額等からなるデータ構造を有する。客注ステータス情報とは商品が顧客より注文された客注商品であることを示すデータフラグを言う。
【００１２】
更にＰＯＳ端末１０は、生成部１５により生成された複数のトランザクションデータを取引毎に登録するトランザクションファイルを記憶するトランザクションファイル記憶部１６（記憶部）と、トランザクションデータに客注ステータス情報をこのトランザクションデータにリンク付けて付与する付与部１７とを備えている。更にＰＯＳ端末１０は、商品登録及び主制御を行う情報処理部１８と、客面側を向く客面表示器１９と、レシートを印字出力するプリンタ２０と、ドロワ２１とを備えている。
【００１３】
スキャナ１１は商品に付されたバーコードを光学的に読取ってコードシンボルをデコードしコードデータを取得する。バーコードは例えば１３桁の数字の列であるＪＡＮコードや２６桁の数字の列であるインストアコードである。
【００１４】
キーボード１２は、直前に登録した商品販売データの取消を宣言する取消キーや、現金支払いによる一取引の登録終了を宣言する預／現計キーを有する。この預／現計キーは締めを生成部１５へ伝える。
【００１５】
キャッシャ用表示器１３は液晶や有機ＥＬ（ｅｌｅｃｔｒｏｌｕｍｉｎｅｓｃｅｎｃｅ）素子を表示画素とするパネル上にタッチパネルを設ける入力装置兼用の表示器である。登録画面の一例を図２、図３に示す。
【００１６】
図２はキャッシャ用表示器１３の登録画面例を示す図である。既述の符号はそれらと同じ要素を表す。キャッシャ用表示器１３が表示する登録画面は、現在登録されたカレント商品情報を下から上へ順番にずらして表示するための登録画面２２と、この登録画面２２の右側に位置する客注宣言キー２３とを有する。登録画面２２は、直近の商品登録情報を表示するカレントエリア２５と、一取引として登録処理された取引明細を一覧表示する明細エリア２４と、一取引の合計金額及び合計点数を表示する合計エリア２６とを有する。客注宣言キー２３は商品をデータ上で客注扱いであると登録するためのキーである。現物の商品の在庫数を上回る数の商品を客が購入し、先に代金だけを店側が客から受け取って店が不足数分の商品を客注扱いしようとする場合、キャッシャがこの客注宣言キー２３を押下する。客注宣言キー２３がタッチ選択されると、商品についての客注登録という処理を登録画面２２にキャッシャ用表示器１３が表示するようになっている。
【００１７】
図３は客注宣言キー２３が押下された後のキャッシャ用表示器１３による登録画面例を示す図である。既述の符号はそれらと同じ要素を表す。例えばカレントエリア２５に、客注商品「チューイングガム」に関する商品情報と、レシートやトランザクションファイルに在庫無しの状態で売上登録を行うことを表すマーク３６とをキャッシャ用表示器１３は表示するようにしている。同図の例ではマーク３６は印「◎」が付された商品についてはこの商品の不足数分を、データ上で取寄せ等、客注扱いに登録されたことをキャッシャ用表示器１３が表示する。
【００１８】
また、図１の商品マスタファイル記憶部１４は商品名、商品コード、単価といった商品情報を記憶する。商品マスタファイル記憶部１４には商品マスタファイルが図示しないストアコンピュータから予めダウンロードされる。
【００１９】
生成部１５は一取引における商品情報を含むトランザクションデータを生成する。生成部１５あるいはスキャナ１１のコントローラは、スキャナ１１からのコードデータによって商品マスタファイルを検索して商品を特定し商品単品データを読出す。この生成部１５は計算機能を有し、この単品データに基づいて商品の点数及び金額を登録処理する。生成部１５は商品の商品名、商品コード、単価といった単品の商品情報をキャッシャ用表示器１３に表示させるようにしている。
【００２０】
トランザクションファイル記憶部１６は一取引毎に商品情報及び預かり金額情報を対応付けてトランザクションデータを記憶する。トランザクションファイル記憶部１６は、取引番号に関連付けて一取引分の売上情報（購入商品、個数、合計金額など）を記憶する。生成部１５は商品コード、商品名、売単価、売上数、時刻などを関連付けて１つのレコードとしてのトランザクションデータをトランザクションファイル記憶部１６に書込む。
【００２１】
付与部１７は客注宣言キー２３が押下されたタイミングで、トランザクションファイル記憶部１６内を検索し、トランザクションデータに紐付けて客注ステータス情報を付与する。情報処理部１８は全体制御及び商品登録処理用のデータの読み書きを行う。
【００２２】
図４はＰＯＳ端末１０の制御系を主体にした要部構成のブロック図である。既述の符号はそれらと同じ要素を表す。ＰＯＳ端末１０は、ＣＰＵ（ｃｅｎｔｒａｌ ｐｒｏｃｅｓｓｉｎｇ ｕｎｉｔ）４１と、このＣＰＵ４１をＰＯＳ端末１０として動作させるためのプログラム（実施の形態に係るプログラム）を記憶するＲＯＭ（ｒｅａｄ ｏｎｌｙ ｍｅｍｏｒｙ）４２と、作業領域を有するＲＡＭ（ｒａｎｄｏｍ ａｃｃｅｓｓ ｍｅｍｏｒｙ）４３と、商品マスタファイル記憶部１４及びトランザクションファイル記憶部１６の記憶領域を有するハードディスクドライブ４４と、バスライン４５とを備えている。これらのＣＰＵ４１、ＲＯＭ４２及びＲＡＭ４３は情報処理部１８を構成する。
【００２３】
ＲＯＭ４２はコンピュータに次の各機能を実行させる。バーコードをスキャナ１１等により取得する機能。バーコードに基づいて一取引における商品情報を含むトランザクションデータを生成する機能。生成された複数のトランザクションデータを取引毎にハードディスクドライブ４４といった記憶装置に記憶する機能。客注ステータス情報をトランザクションデータにリンク付けて付与する機能。
【００２４】
更にＰＯＳ端末１０は日時を計時する時計回路（計時回路）２７と、ストアコンピュータとデータ通信を行う通信インターフェース２８と、ドロワ２１へ開放指令を通知するためのＩ／Ｏポート２９と、キーボード１２の操作キーの信号を読込むキーボードコントローラ３０と、キャッシャ用表示器１３の画面上のタッチ位置を取得するタッチパネルコントローラ３１（表示制御部）とを備えている。このタッチパネルコントローラ３１は一取引の内容を示す登録画面を表示させ、登録画面に客注ステータス情報の付与の処理を開始する客注宣言キー２３をキャッシャ用表示器１３に表示させる。タッチパネルコントローラ３１は登録画面上に客注ステータス情報を示す印「◎」などのマーク３６を商品名に対応付けて表示させてもよい。更にＰＯＳ端末１０は、客面表示器１９用の表示コントローラ３２と、プリンタ２０用のプリンタコントローラ３３と、スキャナ１１用のスキャナコントローラ３４と、ＰＯＳ端末１０に業務モードの切替えを指令するためのモードスイッチ３５とを備えている。
【００２５】
また、図１の客面表示器１９は商品名や単価及び個数などの取引明細や、合計金額や預かり金額及び釣銭額などの取引結果を表示する。プリンタ２０はレシート上に客注ステータス情報を示すマーク３６を商品名に対応付けて印字出力する。プリンタ２０は印「◎」で表されるマーク３６をレシート用紙に印字する。ドロワ２１は現金を収容する。
【００２６】
上述の構成を有するＰＯＳ端末１０はモードスイッチ３５によってこのＰＯＳ端末１０の動作モードを売上登録処理の登録モードにする。キャッシャはチェックアウトレーンにいる客の買物かごから商品を取出す。スキャナ１１によるスキャンやキーボード１２のキー操作が入力されたタイミングでＰＯＳ端末１０は商品登録の処理を開始する。
【００２７】
例えば現物商品として十分多い個数のガムが店舗に在庫が存在しているときに、客が１０個のガムと、在庫数が十分である他の商品とを購入しようとしたとする。キャッシャ操作によってＰＯＳ端末１０はこれらのガム及び他の商品の売上げの登録を行う。
【００２８】
図５はＰＯＳ端末１０の商品登録処理を説明するためのフローチャートである。この処理を、ＣＰＵ４１がＲＯＭ４２内のプログラムにより実行する。
【００２９】
アクトＡ１において、ＣＰＵ４１は図２、図３に示される登録画面２２の表示領域の各バッファ領域の値をクリアする。図２、図３の各表示領域と、各バッファ領域との対応関係を図６により述べる。
【００３０】
図６（ａ）から図６（ｅ）はそれぞれＲＡＭ４３のバッファ領域の一例を示す複数の図である。既述の符号はそれらと同じ要素を表す。ＰＯＳ端末１０はＲＡＭ４３に予め、直前登録バッファ領域３７、取引明細バッファ領域３８、合計バッファ領域３９、編集バッファ領域４０を確保してある。図６（ａ）の直前登録バッファ領域３７はカレントエリア２５（図２、図３）に表示されるデータを記憶する。直前登録バッファ領域３７は、一取引の商品登録として入力された直近の商品コードと、この商品コードにより識別される商品の商品名、部門、単価、販売点数、金額の各データを記憶する。
【００３１】
例えば１０個の「ガム」については、図５のアクトＡ２において、ＣＰＵ４１は、商品マスタファイルを「ガム」の商品コードによって検索し、商品名等を取得し、アクトＡ３において、例えば「ガム」の商品コードの販売点数「１０」という旨のデータを直前登録バッファ領域３７に取込む。
【００３２】
アクトＡ４において、ＣＰＵ４１からタッチパネルコントローラ３１への表示の指令によってキャッシャ用表示器１３はカレントエリア２５に直前登録バッファ領域３７内の商品名、販売点数及び販売金額を表示する。アクトＡ５においてＣＰＵ４１は新たな商品コードの入力の有無を判定し、入力有り、即ち購入対象の別の商品コードが入力された場合、Ｎルートを通り、アクトＡ２の処理を行う。
【００３３】
その後、ＣＰＵ４１は、商品コードが入力される毎に、アクトＡ２からアクトＡ５の処理を実行する。ＣＰＵ４１は「ガム」以外の在庫数が十分な１以上の種類の他の商品について商品登録を行う。
【００３４】
図６（ｂ）に示す取引明細バッファ領域３８は明細エリア２４に表示されるデータを表示する。この取引明細バッファ領域３８は、一取引として登録された全ての商品の販売データとして商品コード、商品名、部門、単価、販売点数、金額の各データをレコード番号順に記憶する。１０個の「ガム」の商品コード、個数等と、「ガム」以外の商品の商品コード、個数等とがそれぞれ記憶される。
【００３５】
アクトＡ５においてＣＰＵ４１は新たな商品コードの入力が無いと判定すると、Ｙルートを通り、アクトＡ６においてＣＰＵ４１は合計表示の処理を行う。このアクトＡ６において、ＣＰＵ４１は取引明細バッファ領域３８に記憶された販売点数と直前登録バッファ領域３７に記憶された販売点数とを合計し、及び取引明細バッファ領域３８の販売金額の合計と直前登録バッファ領域３７の販売金額の合計とを加算する。キャッシャ用表示器１３は合計エリア２６に、販売点数の合計、販売金額の合計及び税額等を表示する。
【００３６】
図７は締め処理を説明するためのフローチャートである。アクトＣ１においてキャッシャ操作によりＰＯＳ端末１０へ締めキーが入力された後、アクトＣ２において、釣銭演算を行う。アクトＣ３においてＣＰＵ４１はキャッシャ用表示器１３に釣銭金額を表示させる。
【００３７】
図６（ｃ）に示す合計バッファ領域３９は会計情報を記憶する。合計バッファ領域３９は売上点数、値引合計額、小計金額、税額、請求金額、預り金額及び釣銭額を記憶する。合計バッファ領域３９に記憶されたデータは合計エリア２６に表示されるデータである。例えばガム１０個と、他の商品とについてのデータが表示される。引き続きアクトＣ４においてＣＰＵ４１は取引明細バッファ領域３８の内容に基づき印字すべきデータを作成し、このデータをプリンタ２０に印字させる。アクトＣ５においてＣＰＵ４１はドロワ２１を開放させる。ＣＰＵ４１は一取引処理を終える。
【００３８】
以上は通常の商品登録処理の説明であり、客が購入しようとした１０個のガムの在庫が店舗に存在していたときの例について述べた。
【００３９】
次に、客が購入しようとした１０個のガムのうち、５個の在庫が店舗に存在し、残りの５個を客注登録する場合の例について述べる。例えばキャッシャはチェックアウトレーンにいる顧客から、「ガム」だけ１０個買いたいこと、ガムの在庫が５個しかないこと、及び１０個分のガムの代金をその場で現金で支払うことを告げられたとする。キャッシャは顧客に対し、現物の５個のガムを購入してもらい、残りの５個のガムは入荷次第、電話連絡しあるいは現物５個を届ける旨を口頭で伝える。キャッシャはＰＯＳ端末１０に対して不足数分の５個のガムを客注登録するための操作を行う。
【００４０】
最初に、ＣＰＵ４１は図５のアクトＡ１の処理と同じ処理を行って、直前登録バッファ領域３７、取引明細バッファ領域３８、合計バッファ領域３９、編集バッファ領域４０の値をクリアする。次に、キャッシャは客注宣言キー２３をタッチする。客注宣言キー２３が押下された場合のＣＰＵ４１の処理について述べる。
【００４１】
図８は客注登録処理を説明するためのフローチャートである。アクトＤ１において、例えば商品登録の際などに、ＣＰＵ４１が客注宣言キー２３の押下を検知すると、アクトＤ２においてキャッシャ用表示器１３に、表示中の画面を図２の例から図３の例に切替えさせる。アクトＤ３においてキャッシャ操作により、現物のガムの包装からスキャナ１１がＪＡＮコードをスキャンする。ＣＰＵ４１はガムの商品コードを商品マスタファイルより取得し、直前登録バッファ領域３７に書込む。アクトＤ４において、ＣＰＵ４１は直前登録バッファ領域３７に記憶した現物商品であるガムのデータを編集バッファ領域４０に書込む。図６（ｄ）に客注登録をしない場合の編集バッファ領域４０を示し、図６（ｅ）に客注登録をする場合の編集バッファ領域４０を示す。
【００４２】
図６（ｄ）に示す編集バッファ領域４０は直前登録バッファ領域３７あるいは合計バッファ領域３９に記憶されたデータを編集可能な状態で記憶するための領域である。編集バッファ領域４０は商品に対して客注宣言キー２３が操作された状態にあることを表す客注ステータス情報（同図では客注ステータスと表記）を格納するための領域４６を有する。例えば図５の例のように在庫数が十分であるような通常取引であって商品に対して客注宣言処理をされる前では、この領域４６には例えば「無し」を表す値をＣＰＵ４１又は生成部１５は書込みしている。
【００４３】
一方アクトＤ４（図８）においては図６（ｅ）に示されるように、ＣＰＵ４１（生成部１５）は編集バッファ領域４０において客注宣言キー２３による宣言後に登録されたデータに、印「◎」等のマーク３６に対応する客注ステータス情報を付与する。アクトＤ５においてＣＰＵ４１はキャッシャ用表示器１３に、カレントエリア２５上においてガムの商品情報をマーク３６とともに表示させる（図３参照）。アクトＤ６において、ＣＰＵ４１はキーボード１２によってキャッシャにより操作入力された発注個数を取込む。このアクトＤ６で入力される個数情報は、不足分のガムの個数「５」である。アクトＤ７においてＣＰＵ４１は編集バッファ領域４０に商品情報データ及び客注ステータス情報をトランザクションファイル記憶部１６に書込み登録する。
【００４４】
図９はトランザクションデータの客注ステータス情報の領域を示す図である。図中、既述の符号はそれらと同じ要素を表す。図９に示されるように、トランザクションファイル記憶部１６は先頭アドレス「０００１」を持つ記憶領域に第ｎ番目のレコードを記録し、先頭アドレス「０００２」を持つ記憶領域に第ｎ＋１番目のレコードを記録していくなど、経時的に全ての取引の結果を記憶していく。客注宣言による商品が登録されていた場合、例えば第ｎ番目のレコード、客注宣言によって登録された商品毎に、商品情報が記録され、及び客注ステータス情報が必要に応じてセットされる。トランザクションファイル記憶部１６は一取引において商品毎に客注ステータス情報を商品情報にリンク付けして領域４６に格納している。換言すれば客注ステータス情報が電子的なデータとして起こされている。
【００４５】
具体的には領域４６の値「１」は商品が客注状態にされていることを表す。領域４６の値「０」は商品が客注扱いと異なり通常の取引によって売上げられたものであることを表す。この例では、単価１００円の商品１、及び単価２００円の商品２といった客注宣言アイテムが何れも客注扱いにされた商品であるものとする。客注宣言アイテムとは客注宣言によって商品登録された商品を言う。現計３００円分の売上げデータにも客注ステータス情報が付与される。１人の客に対してどのように処理されたかという取引の内容が全てトランザクションファイル記憶部１６に落ちる。商品１、２について代金支払済みであること、及びこれら商品１、２が客注扱いにされた状況であることがトランザクションファイルに登録される。
【００４６】
また、図８のアクトＤ８においてＣＰＵ４１は編集バッファ領域４０に記憶された客注宣言アイテムのデータに基づき印字すべきデータを作成し、このデータをプリンタ２０に印字させる。
【００４７】
図１０は登録画面２２、トランザクションファイル記憶部１６及びレシート印字面間の対応関係を示す図である。既述の符号はそれらと同じ要素を表す。図９、図１０に示されるように、ＣＰＵ４１はトランザクションデータから読出した一取引の小計、合計及び現計の各データを全て印字出力する。レシート４８に商品名「タンピン」に印「◎」を付してプリンタ２０が発行する。また、上記処理ではＣＰＵ４１は客面表示器１９にキャッシャ用表示器１３の例と同様に情報を表示させてもよい。
【００４８】
図１１（ａ）はデータ上のガムの客注ステータス情報の例を示す図であり、図１１（ｂ）はレシート出力される客注ステータス情報の例を示す図である。例えば「◎チューイングガム  ００００１５  単１２０  ５個  ６００  内」がカレントエリア２５に記憶される。レシート４８には、「１  ＪＡＮ  ００００１５内◎チューイングガム  ￥１２０」が５個分表示される（同図（ｂ）ではチューイングガムをガムと表記してある）。
【００４９】
従来例では現物商品としてチューイングガムが店舗に５個だけ在庫が存在していたときに、客が１０個分のガムを先払いで購入した場合、残りの５個のガムについては客注扱いにされたことが、ＰＯＳ端末１０によればデータ上、ＰＯＳ端末１０に登録されるようになる。従来例では人が客注伝票を手書きで発行していたが、ＰＯＳ端末１０では、商品について代金支払済みであること、及びその商品が客注扱いにされた状況であることがトランザクションファイルにデータとして登録されるようになる。また、１０個分の商品の売上実績が生じていること、在庫数分の商品は売り切れたこと、不足分の商品が発生してそれらの商品については客注扱いにされていることがトランザクションファイル記憶部１６に登録されるようになる。
【００５０】
在庫数を上回る数の商品を客が購入し、客が先に代金だけを支払った状況において、ＰＯＳ端末１０は売上げ登録と、不足数分の商品の客注登録とを行えるようになる。客注ステータス情報が売上げのトランザクションデータに出力され且つレシート４８に印字されるため、客側及び店舗側双方で客注商品であることを確認できるようになる。客注システムが構築される。
【００５１】
これにより、ＪＡＮコードの登録の際、在庫が無く、客注であるステータスをトランザクションデータに出力することができる。客注ステータス情報付きのデータをその後の発注処理等のデータとして活用することができるようになる。従来のような手書き伝票で客注を管理せずに発注処理等を自動化させることができる。店舗でのペーパーレス化が可能となり、処理の迅速化を図れる。
【００５２】
なお商品登録装置はＰＯＳ端末１０以外にＥＣＲ（ｅｌｅｃｔｒｏｎｉｃ ｃａｓｈ ｒｅｇｉｓｔｅｒ）として構成されてもよい。
【００５３】
上記実施形態では客注宣言キー２３を操作するタイミングは図５の商品登録中であったが、客注登録のタイミングはＰＯＳ端末１０による商品登録の開始前あるいは商品登録後でもよい。
【００５４】
上記実施形態ではマーク３６は印「◎」で表されていたが、言うまでもなくマーク３６は種々の形状やレイアウトをとってもよい。
【００５５】
図２、図３の表示レイアウトは種々変更可能である。レイアウトや表示内容を変更して実施したに過ぎない実施品に対して本実施形態に係る商品登録装置の優位性は何ら損なわれるものではない。
【００５６】
上記実施形態では商品の識別コード例としてのＪＡＮコードは１３桁の標準コードを用いてもよく、８桁の短縮コードを用いてもよい。識別コードとしてはＪＡＮコードのほかに、ＥＡＮ（ｅｕｒｏｐｅａｎ ａｒｔｉｃｌｅ ａｓｓｏｃｉａｔｉｏｎ）や、ＵＰＣ（ｕｎｉｖｅｒｓａｌ ｐｒｏｄｕｃｔ ｃｏｄｅ）を用いても良い。ＰＯＳ端末１０はカードのカードリーダを設け、キーボード１２にクレジット払いによる一取引の登録終了を宣言する信計キーを設けることにより現金及びカードを併用してもよい。
【００５７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１０…ＰＯＳ端末（商品登録装置）、１１…スキャナ、１２…キーボード、１３…キャッシャ用表示器（入力装置、表示器）、１４…商品マスタファイル記憶部、１５…生成部、１６…トランザクションファイル記憶部（記憶部）、１７…付与部、１８…情報処理部、１９…客面表示器、２０…プリンタ、２１…ドロワ、２２…登録画面、２３…客注宣言キー、２４…明細エリア、２５…カレントエリア、２６…合計エリア、２７…時計回路、２８…通信インターフェース、２９…Ｉ／Ｏポート、３０…キーボードコントローラ、３１…タッチパネルコントローラ、３２…表示コントローラ、３３…プリンタコントローラ、３４…スキャナコントローラ、３５…モードスイッチ、３６…マーク、３７…直前登録バッファ領域、３８…取引明細バッファ領域、３９…合計バッファ領域、４０…編集バッファ領域、４１…ＣＰＵ、４２…ＲＯＭ、４３…ＲＡＭ、４４…ハードディスクドライブ（記憶装置）、４５…バスライン４６…客注ステータス情報、４８…レシート。
【図１】
0005497848.tif 000002
【図２】
0005497848.tif 000003
【図３】
0005497848.tif 000004
【図４】
0005497848.tif 000005
【図５】
0005497848.tif 000006
【図６】
0005497848.tif 000007
【図７】
0005497848.tif 000008
【図８】
0005497848.tif 000009
【図９】
0005497848.tif 000010
【図１０】
0005497848.tif 000011
【図１１】
0005497848.tif 000012